(57)【要約】【課題】簡単な操作で音声のミュートオン、オフを制御することが可能な携帯電話装置を提供する。【解決手段】  制御部は、接触検出部が指の接触を検出し（ステップＳ１）、通話中であると判定すると（ステップＳ２）、マイクから入力された音声にミュートをかけるように制御し（ステップＳ３）、続いて接触検出部から指が離れたと判定すると（ステップＳ４）、マイクから入力された音声のミュートを解除するように制御する（ステップＳ５）。【選択図】      図５
2007081460.tif 000002
【特許請求の範囲】
【請求項１】
指の接触を検出する接触検出部と、マイクと、該マイクと接続されたミュート回路と、前記接触検出部が指の接触を検出したと判定すると、前記マイクから入力された音声にミュートをかけるように前記ミュート回路を制御する制御部と、を有することを特徴とする携帯電話装置。
【請求項２】
指の接触を検出する接触検出部と、マイクと、該マイクと接続されたミュート回路と、前記接触検出部が指の接触の検出に基づいて、前記マイクから入力された音声にミュートをかける又は解除するように前記ミュート回路を制御する制御部と、を有することを特徴とする携帯電話装置。
【請求項３】
指の接触を検出する接触検出部と、マイクと、該マイクと接続されたミュート回路と、
前記接触検出部が指の接触を検出したと判定している間は、前記マイクから入力された音声にミュートをかけ、前記接触検出部が指の接触を検出しなくなると、音声のミュートを解除するように前記ミュート回路を制御する制御部と、を有することを特徴とする携帯電話装置。
【請求項４】
キー操作部と、指の接触を検出する接触検出部と、マイクと、該マイクと接続されたミュート回路と、前記接触検出部が指の接触を検出したと判定すると、前記マイクから入力された音声にミュートをかけるように前記ミュート回路を制御し、音声のミュート中に前記キー操作部からの操作があると判定すると、音声のミュートを解除するように前記ミュート回路を制御する制御部と、を有することを特徴とする携帯電話装置。
【請求項５】
請求項１〜４記載の携帯電話装置であり、前記接触検出部は、複数の、指の接触を検出する部位から構成され、前記制御部は、前記複数の部位全てに指が接触したと判定すると、前記マイクから入力された音声にミュートをかけるように前記ミュート回路を制御することを特徴とする携帯電話装置。
【請求項６】
請求項１〜５記載の携帯電話装置であり、前記接触検出部は、ユーザが前記マイクに指で触れた際に、指が接触する位置に配置されていることを特徴とする携帯電話装置。
【請求項７】
請求項６記載の携帯電話装置であり、前記接触検出部は、前記マイクと一体形成されていることを特徴とする携帯電話装置。
【発明の詳細な説明】
【技術分野】
【０００１】
本発明は携帯電話装置に関する。
【背景技術】
【０００２】
携帯電話装置に関する技術が数多く提案されているが、例えば特許文献１には、携帯電話筐体の裏面側にミュートボタンを搭載し、ミュートボタンを押下することにより音声をミュートする技術が記載されている。
（下記特許文献１参照）。
【特許文献１】特開２００４−２０７９６３号公報
【発明の開示】
【発明が解決しようとする課題】
【０００３】
ところで、上記特許文献１記載の技術では、筐体裏面側にボタンを搭載している為に操作が非常に困難である。又、表面側にミュートボタンを搭載した場合でもとっさにボタンを押下しようとしてもボタンを捜すのに時間がかかり、即座に音声をミュートすることができない。ミュートを解除する際にも同様にボタンを捜すのに時間がかかりなかなかミュートを解除することができない。
【課題を解決するための手段】
【０００４】
本発明はこのような課題を解決するものであり、簡単な操作で即座に送話信号にミュートをかけることが可能であり、更に、簡単な操作で即座にミュートを解除することが可能な携帯電話装置を提供することを目的としている。
請求項１記載の携帯電話装置は、指の接触を検出する接触検出部と、マイクと、該マイクと接続されたミュート回路と、前記接触検出部が指の接触を検出したと判定すると、前記マイクから入力された音声にミュートをかけるように前記ミュート回路を制御する制御部と、を有することを特徴とする。
請求項２記載の携帯電話装置は、指の接触を検出する接触検出部と、マイクと、該マイクと接続されたミュート回路と、前記接触検出部が指の接触の検出に基づいて、前記マイクから入力された音声にミュートをかける又は解除するように前記ミュート回路を制御する制御部と、を有することを特徴とする。
請求項３記載の携帯電話装置は、指の接触を検出する接触検出部と、マイクと、該マイクと接続されたミュート回路と、前記接触検出部が指の接触を検出したと判定している間は、前記マイクから入力された音声にミュートをかけ、前記接触検出部が指の接触を検出しなくなると、音声のミュートを解除するように前記ミュート回路を制御する制御部と、を有することを特徴とする。
請求項４記載の携帯電話装置は、キー操作部と、指の接触を検出する接触検出部と、マイクと、該マイクと接続されたミュート回路と、前記接触検出部が指の接触を検出したと判定すると、前記マイクから入力された音声にミュートをかけるように前記ミュート回路を制御し、音声のミュート中に前記キー操作部からの操作があると判定すると、音声のミュートを解除するように前記ミュート回路を制御する制御部と、を有することを特徴とする。
請求項５記載の携帯電話装置は、請求項１〜４記載の携帯電話装置であり、前記接触検出部は、複数の、指の接触を検出する部位から構成され、前記制御部は、前記複数の部位全てに指が接触したと判定すると、前記マイクから入力された音声にミュートをかけるように前記ミュート回路を制御することを特徴とする。
請求項６記載の携帯電話装置は、請求項１〜５記載の携帯電話装置であり、前記接触検出部は、ユーザが前記マイクに指で触れた際に、指が接触する位置に配置されていることを特徴とする。
請求項７記載の携帯電話装置は、請求項６記載の携帯電話装置であり、前記接触検出部は、前記マイクと一体形成されていることを特徴とする。
【発明の効果】
【０００５】
本発明によれば、簡単な操作で即座に送話信号にミュートをかけることが可能であり、更に、簡単な操作で即座にミュートを解除することが可能である。
又、請求項１記載の発明によれば、ユーザが接触検出部に指で触れるだけで簡単にマイクから入力した音声にミュートをかけることが可能である。この為、例えば通話中にマイクが拾った音声を相手側に聞かれたくないときに即座に相手側に聞こえないようにすることが可能である。
請求項２記載の発明によれば、ユーザが接触検出部に指で触れるだけで、マイクから入力された音声にミュートをかけることや、解除することの指示をすることができる為、簡単な操作でミュートのオン、オフ操作を行うことが可能である。
請求項３記載の発明によれば、ユーザが接触検出部から指を離すだけで簡単に音声ミュートを解除することが可能である。この為、例えばユーザが即座に通話を開始したい場合には指を離すだけで通話を開始することができ、ユーザにとって非常に使いやすい。
請求項４記載の発明によれば、ユーザが接触検出部に指で触れてからキー操作があるまで音声ミュートを継続している。換言すれば、ユーザが接触検出部に指で触れて一旦ミュートがかかった状態となるとユーザの指が接触検出部から指を離してもミュートがかかった状態を継続し、ユーザがキー操作を行うって初めてミュートを解除するものであり、簡単な操作でミュートをかけることが可能であり、更に、ミュートを解除する際には、簡単なキー操作で解除をすることが可能である。
請求項５記載の発明によれば、簡単な操作でミュートをかけることが可能であるだけでなく、誤ってミュートがかかることを回避することが可能である。
請求項６及び７記載の発明によれば、ユーザがマイクに触れるだけで簡単にマイクから入力された音声にミュートをかけることが可能である。
【発明を実施するための最良の形態】
【０００６】
次に、本発明の一実施形態に係る携帯電話装置について、図面を参照して説明する。
【０００７】
図１に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【０００８】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。又、音声コーデック２０は、制御回路３６からの指示に基づいてマイク３０から入力された音声信号のミュートをかけることが可能である。
【０００９】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１０】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１１】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１２】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１３】
また、電話通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。ここで、ＲＡＭ４０には、例えば電話帳データやメールデータ等が格納されている。
【００１４】
また、制御回路３６には、例えば液晶表示装置からなるディスプレイ４１が接続されている。更に、制御回路３６には、通話キーや終話キーやテンキー等からなる入力部４２が接続されている。
【００１５】
接触検出部４３は、指が接触したか否かを検出するものであり、図２に示すようにマイク３０の上下に２つの接触検出部４３を搭載している。制御回路３６は、例えば図３に示すように、２つの接触検出部４３に指が触れたことを検出すると、送話音声にミュートをかける。
【００１６】
図２の接触検出部４３近傍の断面図を図４に示す。図４において、マイク３０は、アンプ２８及び切替回路２２を介して制御回路３６に接続されており、２つの接触検出部４３は制御回路３６に接続されている。前記２つの接触検出部４３は、通常、制御回路３６から電流が流れており、所謂ハイレベルの状態である。ユーザが２つの接触検出部４３に触れることにより、接触検出部４３が接地され、所謂ローレベルの状態になる。制御回路３６は、２つの接触検出部４３が共にハイレベルからローレベルに電位が変わったことを検出すると、接触検出部４３に指が触れたと判定し、マイク３０から入力された音声を電話通信部１２を介して相手側に送信しないように、ベースバンド部１４を制御することによりマイク３０から入力された音声信号にミュートをかける。尚、ユーザが２つの接触検出部４３のうち片方だけ接触してもミュートをかけることができない。
【００１７】
次に図５のフロー図に基づいて本実施例装置の動作を制御回路３６の制御に基づいて説明する。
【００１８】
図５のＳ１ステップにおいて、制御回路３６は、２つの接触検出部４３が接地した（ユーザが触れた）と判定すると、Ｓ２ステップへ処理を進める。
【００１９】
Ｓ２ステップでは、制御回路３６は、通話中であると判定するとＳ３ステップへ処理を進め、そうでなければ、処理を終了する。即ち、通話中でなければ接触検出部４３に指が触れても音声ミュートがかからない。
【００２０】
Ｓ３ステップでは、制御回路３６は、ベースバンド部１４を制御することにより、マイク３０から入力された音声にミュートをかける。この為、マイク３０から入力された音声は相手側には送信されない。
【００２１】
続くＳ４ステップでは、制御回路３６は、１つ或いは両方の接触検出部４３と、指との接触が解除されたと判定すると、Ｓ５ステップへ処理を進める。
【００２２】
Ｓ５ステップでは、制御回路３６は、ベースバンド部１４を制御することにより、マイク３０から入力された音声のミュートを解除する。これにより、マイク３０から入力された音声は、電話通信部１２を介して相手側に送信される。
【００２３】
このように、本実施例装置では、ユーザがマイク３０近傍に配された接触検出部４３に触れるだけで簡単にマイク３０から入力された音声にミュートをかけることが可能であり、更に、ユーザが接触検出部４３から指を離すとミュートを解除する為、簡単な操作でミュートをかけることと解除を行うことが可能である。
【００２４】
尚、以下のような実施形態としてもよい。先ず、ユーザが接触検出部４３に触れるとマイク３０から入力される音声にミュートをかける動作を開始し、続いてユーザの指が接触検出部４３から離れても音声ミュートを継続させ、ユーザが再度接触検出部４３に触れると音声ミュートを解除する構成としても良い。このような構成としても、同様に簡単な操作でミュートをかけることと解除を行うことが可能である。
【００２５】
又、以下のような実施形態としてもよい。先ず、ユーザが接触検出部４３に触れるとマイク３０から入力される音声にミュートをかける動作を開始し、続いてユーザの指が接触検出部４３から離れても音声ミュートを継続させ、ユーザが例えば通話キー等のキーを操作することによって音声ミュートを解除させる構成としても良い。このような構成としても、同様に簡単な操作でミュートをかけることが可能である。又、音声ミュートの解除はキー操作により行われるため、誤ってユーザが接触検出部４３に触れて不所望な音声ミュート解除が行われることを回避することが可能である。
【００２６】
尚、接触検出部４３の配置位置は、例えばユーザが図３に示すようにマイク３０を指でふさいだ際に同時に指が触れる位置に配置されることが好ましい。このような構成とすることによって、ユーザは単にマイク３０を指でふさいだだけで音声ミュートをかけることが可能である。大抵、ユーザが通話中に相手に話声や周囲の音を聞かれたくないと思ったときには、とっさにマイク３０を指で塞ぐものである。本実施例装置はこのとっさの行動を行った時に、ユーザが操作を行ったという意識をするまでもなく音声ミュートをかけられるものである。又、マイク３０と接触検出部４３を一体的な部品として形成しても良い。このような構成としても同様な効果を奏することが可能である。
【００２７】
又、本実施例では、２つの接触検出部４３を搭載したが、図６に示すように１つの接触検出部を搭載した構成としても良いし、マイク３０の周囲を囲むような形状の接触検出部４３を搭載しても良い。
【００２８】
更に、本実施例では携帯電話について実施したが、コードレス電話機の子機等の無線通信装置においても同様に実施することが可能である。
【図面の簡単な説明】
【００２９】
【図１】本発明を適用してなる実施例装置である、携帯電話装置のブロック図である。
【図２】本実施例装置の斜視図である。
【図３】本実施例装置の使用形態を示す図である。
【図４】接触検出部４３周辺の断面図である。
【図５】本実施例装置の動作を示すフロー図である。
【図６】本実施例装置の他の実施形態を示す図である。
【符号の説明】
【００３０】
１０      携帯電話装置
１２      電話送信部
１４      ベースバンド部
２０      音声コーデック
２２      切替回路
２８      アンプ
３０      マイク
３６      制御回路（制御部）
４３      接触検出部
【図１】
2007081460.tif 000003
【図２】
2007081460.tif 000004
【図３】
2007081460.tif 000005
【図４】
2007081460.tif 000006
【図５】
2007081460.tif 000007
【図６】
2007081460.tif 000008